(57)【要約】【課題】  入力原稿のページ入れ替えや回転といった操作をより少ない手順で行うことが可能な情報処理装置及び画像処理装置を提供する。【解決手段】  画像形成に関する設定情報を受け付ける入力部と、画像形成の対象となる画像データを取得する画像データ取得部と、画像データ取得部により取得された画像データの編集操作のための確認画像表示画面を生成する制御部と、制御部により生成された確認表示画面を表示する表示部とを備え、制御部は、設定情報に基き確認画像表示画面において編集操作の対象とする画像データを選択するための選択範囲を変更する情報処理装置及び画像処理装置。【選択図】  図１
2015043481.tif 000002
【特許請求の範囲】
【請求項１】
画像形成に関する設定情報を受け付ける入力部と、
画像形成の対象となる画像データを取得する画像データ取得部と、
前記画像データ取得部により取得された前記画像データの編集操作のための確認画像表示画面を生成する制御部と、
前記制御部により生成された前記確認表示画面を表示する表示部とを備え、
前記制御部は、前記設定情報に基き前記確認画像表示画面において編集操作の対象とする前記画像データを選択するための選択範囲を変更すること
を特徴とする情報処理装置。
【請求項２】
前記画像データ取得部は、画像が形成された原稿から前記画像データを取得し、
前記制御部は、原稿１枚分の画像数に基き前記確認画像表示画面において編集操作の対象とする前記画像データを選択するための選択範囲を変更すること
を特徴とする請求項１記載の情報処理装置。
【請求項３】
原稿１枚分の画像数は、原稿に集約された画像の総数であって、前記制御部は、片面のみに画像が集約された原稿の場合はその集約の値を、両面に画像が集約された原稿の場合は片面の集約の値を２倍した値に基き記確認画像表示画面において編集操作の対象とする前記画像データを選択するための選択範囲を変更すること
を特徴とする請求項２記載の情報処理装置。
【請求項４】
前記確認画像表示画面は、選択された前記画像データに対して並び替え処理、削除処理、回転処理を受け付ける処理選択部を備えること
を特徴とする請求項１乃至請求項３の何れか１項記載の情報処理装置。
【請求項５】
画像形成に関する設定情報を受け付ける入力部と、
画像形成の対象となる画像データを原稿を読み取ることによる取得する原稿読み取り部と、
前記原稿読み取り部により取得された前記画像データの編集操作のための確認画像表示画面を生成する制御部と、
前記制御部により生成された前記確認表示画面を表示する表示部とを備え、
前記制御部は、前記設定情報に基き前記確認画像表示画面において編集操作の対象とする前記画像データを選択するための選択範囲を変更すること
を特徴とする画像処理装置。
【請求項６】
前記制御部は、原稿１枚分の画像数に基き前記確認画像表示画面において編集操作の対象とする前記画像データを選択するための選択範囲を変更すること
を特徴とする請求項５記載の画像処理装置。
【請求項７】
原稿１枚分の画像数は、原稿に集約された画像の総数であって、前記制御部は、片面のみに画像が集約された原稿の場合はその集約の値を、両面に画像が集約された原稿の場合は片面の集約の値を２倍した値に基き記確認画像表示画面において編集操作の対象とする前記画像データを選択するための選択範囲を変更すること
を特徴とする請求項６記載の画像処理装置。
【請求項８】
前記確認画像表示画面は、選択された前記画像データに対して並び替え処理、削除処理、回転処理を受け付ける処理選択部を備えること
を特徴とする請求項５乃至請求項７の何れか１項記載の画像処理装置。
【発明の詳細な説明】
【技術分野】
【０００１】
本発明は情報処理装置及び画像処理装置に関するものである。
【背景技術】
【０００２】
従来の画像読取装置には、原稿を読み取ることで生成した画像データを表示装置が表示する操作画面を介して縮小表示し、画像の確認、ページの削除、ページの入れ替え、ページの回転といった操作を受け付ける、所謂、プレビュー機能を備えるものがある（例えば、特許文献１参照）。さらに、従来の画像読取装置には、原稿給紙の手間を軽減するために、ＡＤＦ（Auto Document Feeder）にセットされた原稿の両面に形成されたページ画像を連続的に読み取る機能を備えるものがある。
【先行技術文献】
【特許文献】
【０００３】
【特許文献１】特開  ２０１３−５４５０８号公報
【発明の概要】
【発明が解決しようとする課題】
【０００４】
上記構成の装置において、例えば、両面読み取りで読取った原稿が上下逆さまになっていた場合に、対象の原稿から生成した表面・裏面の２ページ分の画像を回転処理によって修正するといった使い方が想定される。
【０００５】
しかしながら、上記構成の従来の装置では、同一の原稿から読取った画像を、ユーザの判断で個々に選択しなければならないといった問題があった。
【０００６】
本発明はこのような実状に鑑みてなされたものであり、本発明の課題は、入力原稿のページ入れ替えや回転といった操作をより少ない手順で行うことが可能な情報処理装置及び画像処理装置を提供することである。
【課題を解決するための手段】
【０００７】
上記課題を解決するために、本発明に係る情報処理装置は、画像形成に関する設定情報を受け付ける入力部と、画像形成の対象となる画像データを取得する画像データ取得部と、前記画像データ取得部により取得された前記画像データの編集操作のための確認画像表示画面を生成する制御部と、前記制御部により生成された前記確認表示画面を表示する表示部とを備え、前記制御部は、前記設定情報に基き前記確認画像表示画面において編集操作の対象とする前記画像データを選択するための選択範囲を変更することを特徴としている。
【０００８】
また、本発明に係る画像処理装置は、画像形成に関する設定情報を受け付ける入力部と、画像形成の対象となる画像データを原稿を読み取ることによる取得する原稿読み取り部と、前記原稿読み取り部により取得された前記画像データの編集操作のための確認画像表示画面を生成する制御部と、前記制御部により生成された前記確認表示画面を表示する表示部とを備え、前記制御部は、前記設定情報に基き前記確認画像表示画面において編集操作の対象とする前記画像データを選択するための選択範囲を変更することを特徴としている。
【発明の効果】
【０００９】
本発明によれば、入力原稿のページ入れ替えや回転といった操作をより少ない手順で行うことが可能な情報処理装置及び画像処理装置を提供することができる。
【図面の簡単な説明】
【００１０】
【図１】本実施形態における複合機の装置構成を説明する機能ブロック図である。
【図２】操作部の表示部が表示するプレビュー画面の例を説明する図である。
【図３】複合機が読み取る原稿の例を説明する図である。
【図４】操作部の表示部が表示するプレビュー画面の例及び複合機が読み取る原稿の例を説明する図である。
【図５】複合機が原稿を読み取り、プレビュー画面にてユーザによる編集操作を受け付け、編集後のページ画像全体を用紙上に印刷出力する動作を説明するフローチャートである。
【図６】プレビュー画面の表示処理を説明するフローチャートである。
【図７】操作部の表示部が表示するプレビュー画面の例を説明する図である。
【図８】操作部の表示部が表示する移動先選択画面の例を説明する図である。
【図９】順番が修正された印刷出力を説明する図である。
【図１０】他の複合機の装置構成を説明する機能ブロック図である。
【発明を実施するための形態】
【００１１】
以下、本発明の実施形態について図面を参照して説明する。なお、本発明は以下の記述に限定されるものではなく、本発明の要旨に逸脱しない範囲において適宜変更可能である。
【００１２】
図１は、本発明の実施形態に係る情報処理装置又は画像処理装置としての複合機１００の装置構成を説明する機能ブロック図である。複合機１００は、原稿を読み取ることで生成した画像データに基く画像を記録媒体たる用紙に印刷することが可能な装置である。
【００１３】
このような複合機１００は、画像データ取得部としての読み取り部１０１と、記憶部１０２と、印刷部１０３と、制御部１０４と、操作部１０５とを備える。
【００１４】
読み取り部１０１は、少なくとも、原稿に光を照射する光源と、原稿により反射された光を集光するレンズと、レンズで集光された光を受光し、受光した光を電気信号である画像データに変換するＣＣＤ（Charge Coupled Device）等の光電変換素子とを有し、原稿上のページ画像を読み取り、読み取ったページ画像に基づく画像データを生成する。また、読み取り部１０１は、両面ＡＤＦを備え、複数枚の原稿を自動的に給紙し、原稿両面を読み取ることが可能となるように構成されている。また、読み取り部１０１は、Ｎ−ＵＰと呼ばれるＮページ分の画像が用紙面に集約された原稿を読み取り、元のＮページ分の画像データを生成する機能を備える。読み取り部１０１により生成された画像データは、制御部１０４による指示に基き記憶部１０２に格納される。
【００１５】
記憶部１０２は、例えば、ＲＡＭ（Random Access Memory）、フラッシュメモリ、ＨＤＤ（Hard Disk Drive）といった記憶装置を備え、読み取り部１０１により生成された画像データを格納する。
【００１６】
印刷部１０３は、例えば、電子写真方式の印刷エンジンを備え、制御部１０４による指示により、画像データに基くページ画像を用紙上に印刷出力する。
【００１７】
制御部１０４は、読み取り部１０１における原稿の読み取り処理、画像データの編集処理、印刷部１０３における印刷処理、操作部１０５における操作処理等を統括的に制御する。制御部１０４としては、図示せぬＣＰＵ（Central Processing Unit）によって動作するプログラムでもよく、ＡＳＩＣ（Application Specific Integrated Circuit）等のデジタル回路、或いはこれらの組み合わせによって構成してもよい。
【００１８】
操作部１０５は、複合機１００の装置状態や後述する確認画像表示画面としてのプレビュー画面を表示するためのＬＣＤ（Liquid Crystal Display）といった表示部１０５１と、処理開始の入力や、プレビュー画面を介した画像データの印刷出力のための編集処理の入力を受け付けるタッチパネル、操作ボタン、テンキーといった入力部１０５２とを備える。
【００１９】
図２は、本実施形態において、操作部１０５の表示部１０５１が表示するプレビュー画面２００の例を説明する図である。なお、ここで説明するプレビュー画面２００は、図３に示す原稿例のように、原稿片面のそれぞれに２ページ分の画像が集約された２−ＵＰの原稿５００，５０１，５０２（５００〜５０２）を読み取り部１０１が読み取ることで生成した画像データを元に表示部１０５１が表示するプレビュー画面である。
【００２０】
プレビュー画面２００は、処理選択部としての並べ替えボタン２０１と、削除ボタン２０２と、回転ボタン２０３と、回転ボタン２０４と、出力開始ボタン２０５と、プレビュー画像２１０，２１１，２１２，２１３，２１４，２１５，２１６，２１７（２１０〜２１７）と、用紙毎の選択ボタン２２０，２２１と、ページ毎の選択ボタン２３０，２３１，２３２，２３３，２３４，２３５，２３６，２３７（２３０〜２３７）と、スクロールボタン２４０，２４１とを備え、ユーザは、プレビュー画像２１０〜２１７を見ながら、画像データの並べ替え、削除、回転といった編集操作を行うことができる。
【００２１】
並べ替えボタン２０１は、選択されたプレビュー画像の並べ替え操作を受け付ける。ユーザにより並べ替えボタン２０１が押下されると、操作部１０５は選択されたプレビュー画像の並べ替え操作が指示された旨を制御部１０４に通知する。通知を受けた制御部１０４は、プレビュー画面２００における選択状態のプレビュー画像を移動させるとともに、記憶部１０２に格納されている選択状態のプレビュー画像に対応する画像データも移動させる。そして、制御部１０４はプレビュー画像の移動結果を操作部１０５に通知し、表示部１０５１はプレビュー画面２００にプレビュー画像の移動結果を表示する。
【００２２】
削除ボタン２０２は、選択されたページ画像の削除操作を受け付ける。ユーザにより削除ボタン２０２が押下されると、操作部１０５は選択されたページ画像の削除操作が指示された旨を制御部１０４に通知する。通知を受けた制御部１０４は、プレビュー画面２００における選択状態のプレビュー画像を削除させるとともに、記憶部１０２に格納されている選択状態のプレビュー画像に対応する画像データも削除させる。そして、制御部１０４はページの削除結果を操作部１０５に通知し、表示部１０５１はプレビュー画面２００にページの削除結果を表示する。
【００２３】
回転ボタン２０３は、選択されたプレビュー画像の回転操作を受け付ける。ユーザにより回転ボタン２０３が押下されると、操作部１０５は選択されたプレビュー画像の回転操作が指示された旨を制御部１０４に通知する。通知を受けた制御部１０４は、プレビュー画面２００における選択状態のプレビュー画像を時計回りに９０度回転させるとともに、記憶部１０２に格納されている選択状態のプレビュー画像に対応する画像データも回転させる。そして、制御部１０４はプレビュー画像の回転結果を操作部１０５に通知し、表示部１０５はプレビュー画面２００にページの回転結果を表示する。
【００２４】
回転ボタン２０４は、選択されたプレビュー画像の回転操作を受け付ける。ユーザにより回転ボタン２０４が押下されると、操作部１０５は選択されたプレビュー画像の回転操作が指示された旨を制御部１０４に通知する。通知を受けた制御部１０４は、プレビュー画面２００における選択状態のプレビュー画像を反時計回りに９０度回転させるとともに、記憶部１０２に格納されている選択状態のプレビュー画像に対応する画像データも回転させる。そして、制御部１０４はプレビュー画像の回転結果を操作部１０５に通知し、表示部１０５はプレビュー画面２００にページの回転結果を表示する。
【００２５】
上記の並べ替えボタン２０１、削除ボタン２０２、回転ボタン２０３、及び回転ボタン２０４は、選択状態のプレビュー画像が存在しない状態では、その操作を受け付けない。
【００２６】
出力開始ボタン２０５は、プレビュー表示されているプレビュー画像全体の印刷出力開始操作を受け付ける。ユーザにより出力開始ボタン２０５が押下されると、操作部１０５は、プレビュー表示されている編集後のプレビュー画像全体の印刷出力が指示された旨を制御部１０４に通知し、通知を受けた制御部１０４は、印刷部１０３に印刷出力の指示を与える。指示を受けた印刷部１０３は、編集後のプレビュー画像に対応するページ画像を用紙上に印刷出力する。
【００２７】
プレビュー画像２１０〜２１７は、読み取り部１０１が、図３に示す原稿５００〜５０２の両面を読み取ることで生成した画像データを縮小したサムネイルであり、読み取られた順に図２中左側から並べられて表示されている。プレビュー画像２１０〜２１７は、並べ替え、削除、回転といった編集操作に応じて、印刷出力と同じ状態に変更される。
【００２８】
用紙毎の選択ボタン２２０，２２１は、一枚の原稿から読み取られて生成した画像データに対応するプレビュー画像をまとめて選択する操作を受け付ける。例えば、用紙毎の選択ボタン２２０が押下されると、図３に示した１枚目の原稿５００の表面５００ａと裏面５００ｂとを読み取ることで生成した画像データに対応するプレビュー画像２１０，２１１，２１２，２１３がまとめて選択される。同様に、用紙毎の選択ボタン２２１が押下されると、図３に示した２枚目の原稿５０１の表面５０１ａと裏面５０１ｂとを読み取ることで生成した画像データに対応するプレビュー画像２１４，２１５，２１６，２１７がまとめて選択される。
【００２９】
図２に示すプレビュー画面２００の例においては、両面にページ画像が形成された２−ＵＰの原稿を１枚読込むことで計４つの画像データが生成され、これに基くプレビュー画像（サムネイル）が４つ生成される。本実施形態に係る用紙毎の選択ボタンは、生成されたプレビュー画像の数、すなわち、原稿１枚分に集約されたページ画像の総数に応じて選択範囲が可変するように構成されている。制御部１０４は、原稿がＮ−ＵＰの両面印刷の場合、Ｎ×２（ページ）分の選択範囲を決定し、当該選択範囲をカバーするボタン幅で用紙毎の選択ボタンを表示するよう操作部１０５に指示を与える。指示を受けた表示部１０５１は、図２に示す例のように、用紙毎の選択ボタン２２０，２２１を表示する。
【００３０】
同様に、制御部１０４は、原稿がＮ−ＵＰの片面印刷の場合、Ｎ×１（ページ）分の選択範囲を決定し、当該選択範囲をカバーするボタン幅で用紙毎の選択ボタンを表示するよう操作部１０５に指示を与える。図４（ａ）に示すプレビュー画面２００は、図４（ｂ）に示す片面にのみページ画像が形成された２−ＵＰの原稿５０３，５０４，５０５，５０６を読み取ることで生成したプレビュー画像４１４，４１５，４１６、４１７，４１８，４１９，４２０，４２１が表示された例である。制御部１０４は、Ｎ×１（ページ）分の選択範囲を決定し、当該選択範囲をカバーするボタン幅で用紙毎の選択ボタンを表示するよう操作部１０５に指示を与える。指示を受けた表示部１０５１は、図４（ａ）に示す例のように、用紙毎の選択ボタン２５０，２５１，２５２，２５３を表示する。
【００３１】
再び、図２に戻り、ページ毎の選択ボタン２３０〜２３７は、プレビュー画像の個別選択操作を受け付ける。ユーザによりページ毎の選択ボタン２３０〜２３７の何れかが押下されると、操作部１０５はプレビュー画像の個別選択操作が指示された旨を制御部１０４に通知し、通知を受けた制御部１０４は、選択された選択ボタン２３０〜２３７のそれぞれのボタン上部に対応して配置されたプレビュー画像２１０〜２１７のそれぞれを選択状態にする。そして、制御部１０４は選択結果を操作部１０５に通知し、表示部１０５１はプレビュー画面２００にプレビュー画像毎の選択結果を表示する。
【００３２】
スクロールボタン２４０，２４１は、プレビュー画像２１０〜２１７全体をスクロールさせ、プレビュー画面２００に表示しきれずに隠れているプレビュー画像２１０〜２１７以外の前後のプレビュー画像を表示させるスクロール操作を受け付ける。ユーザによりスクロールボタン２４０，２４１が押下されると、操作部１０５はスクロール操作が指示された旨を制御部１０４に通知し、通知を受けた制御部１０４は、プレビュー画面２００に表示しきれずに隠れている前後のプレビュー画像を表示するよう操作部１０５に指示を与える。指示を受けた表示部１０５１は、プレビュー画像２１０〜２１７をスクロールし、隠れている前後のプレビュー画像を表示する。
【００３３】
次に、複合機１００が原稿を読み取り、プレビュー画面にてユーザによる編集操作を受け付け、編集後のページ画像全体を用紙上に印刷出力する動作について図５のフローチャートを用いて説明する。
【００３４】
まず、図５のステップＳ１０１において、操作部１０５を介して原稿の読み取り開始要求を受けると、制御部１０４は、読み取り部１０１に原稿の読み取り指示を与える。指示を受けた読み取り部１０１は、画像形成に関する設定情報としての読取設定値に基き両面ＡＤＦ上の原稿束を読み取る。ここで、読取設定値とは、読み取り部１０１が原稿を読み取る際に、操作部１０５の入力部１０５２を介して入力設定される、原稿の読み取り面（両面／片面）に関する設定値、用紙片面に集約されたページ数であるＮ−ＵＰに関する設定値、読み取り対象の原稿枚数の値をいうものとする。なお、読取設定値は、操作部１０５の入力部１０５２を介して入力されるものとして説明したが、両面ＡＤＦが備えるＯＣＲ（Optical Character Recognition）による自動認識機構を用い読み取った原稿の様式から取得する形態としてもかまわない。読み取り部１０１により生成された画像データは、制御部１０４による指示に基き記憶部１０２に格納される。
【００３５】
そして、制御部１０４は、読取設定値及び記憶部１０２に格納された画像データに基き、操作部１０５の表示部１０５１を介してプレビュー画面を表示させる。
【００３６】
次に、制御部１０４は、表示部１０５１に表示されたプレビュー画面２００を介してページ画像全体に対する編集操作と、印刷出力開始指示を受け付ける（ステップＳ１０２）。
【００３７】
ステップＳ１０３において、制御部１０４は、印刷出力開始指示を受け付けると、印刷部１０３に印刷出力の指示を与える。指示を受けた印刷部１０３は、編集後のプレビュー画像に対応するページ画像を用紙上に印刷出力する。
【００３８】
ここで、図５のステップＳ１０１におけるプレビュー画面の表示処理について図６のフローチャートを用いて説明する。
【００３９】
まず、ステップＳ２０１において、制御部１０４は、読み取り部１０１が読み取る原稿に対して設定された読取設定値を取得する。
【００４０】
次に、制御部１０４は、取得した読取設定値に基き、プレビュー画面における用紙毎の選択ボタンの選択範囲を決定する。すなわち、制御部１０４は、原稿がＮ−ＵＰの両面印刷の場合、Ｎ×２（ページ）分の選択範囲を決定し、原稿がＮ−ＵＰの片面印刷の場合、Ｎ×１（ページ）分の選択範囲を決定する（ステップＳ２０２）。
【００４１】
そして、制御部１０４は、図２に示したようなプレビュー画面を作成し、操作部１０５の表示部１０５１を介して表示させる（ステップＳ２０３）。
【００４２】
ここで、図３で示した１枚目と２枚目との原稿が入れ替わった原稿５００，５０１，５０２（５００〜５０２）が読み取られることで作成されたプレビュー画面２００を介し、原稿の入れ替わりが修正された後、印刷出力が行われる場合の例について説明する。
【００４３】
読み取り部１０１により原稿５００〜５０２が読み取られることで作成されたプレビュー画面２００において、用紙毎の選択ボタン２２０がユーザにより押下されると、制御部１０４は、１枚目の原稿５００の表面５００ａと裏面５００ｂとが読み取られることで生成したプレビュー画像２１０，２１１，２１２，２１３がまとめて選択された状態を表す枠３１０を有するプレビュー画面３００に表示を切り替える（図７）。これにより、プレビュー画像が選択状態となったため、プレビュー画面３００上の並べ替えボタン３０１、削除ボタン３０２、回転ボタン３０３、及び回転ボタン３０４は操作を受け付けることが可能となる。
【００４４】
ここで、ユーザにより、並べ替えボタン３０１が押下されると、操作部１０５は選択されたプレビュー画像の並べ替え操作が指示された旨を制御部１０４に通知する。通知を受けた制御部１０４は、図８に示す移動先選択画面４００に表示を切り替える。移動先選択画面４００において、ユーザは、プレビュー画面３００で選択したプレビュー画像の移動先を移動先選択ボタン４２０，４２１，４２２，４２３，４２４，４２５，４２６，４２８を用いて選択する。なお、移動先選択ボタン４２０，４２４，４２８は、同一原稿からなるページ画像の境界を強調するため、ボタン枠が太枠で表示されている。
【００４５】
そして、ユーザにより、移動先選択ボタン４２４が選択されると、制御部１０４は、図７の枠３００で囲まれて表示された選択状態のページであるプレビュー画像２１０，２１１，２１２，２１３を移動先選択ボタン４２４が表すプレビュー画像２１７と原稿５０２を読み取ることで生成したプレビュー画像４１０，４１１，４１２，４１３の先頭プレビュー画像４１０との間に移動させるとともに、対応する記憶部１０２内の画像データも入れ替える。
【００４６】
最後に、出力開始ボタン２０５がユーザにより押下されると、制御部１０４は、プレビュー画面３００を用いての編集を反映させた状態で、印刷部１０３に印刷出力の指示を与える。指示を受けた印刷部１０３は、図９に示すように、順番が修正された印刷出力６００，６０１，６０２，６０３，６０４，６０５，６０６，６０７，６０８，６０９，６１０，６１１を用紙上に印刷出力する。
【００４７】
以上のように、本実施形態によれば、１枚の原稿に集約されたページに対応するプレビュー画像を一括選択することで、入力原稿のページ入れ替えや回転といった操作をより少ない手順で行うことが可能となる。
【００４８】
本発明の実施形態の説明において、印刷出力を行う装置を例として説明したが、本発明はこれに限定されるものではない。例えば、図１０に示すように、実施形態でにおいて説明した、複合機１００の印刷部１０３に替えてＦＡＸ通信、Ｅメール送信、ファイルサーバに保存といった出力手段を有する出力部１１０を備えた情報処理装置としての複合機１００'等にも適用可能である。
【００４９】
また、本発明の実施形態の説明において、画像データを取得する画像データ取得部としてスキャナ等の読み取り部を備えた装置を例としたが、本発明はこれに限定されるものではない。画像データ取得部として、例えば、ＬＡＮ（Local Area Network）ケーブル等の電気信号線を介して外部端末から送信された画像データを受信する受信手段や、ＵＳＢメモリ等の外部メモリ（可搬性記憶媒体）に格納された画像データを取得する外部メモリ接続手段といった他の画像データ取得手段を備えた情報処理装置等にも本発明は適用可能である。
【符号の説明】
【００５０】
１００  複合機
１０１  読み取り部
１０２  記憶部
１０３  印刷部
１０４  制御部
１０５  操作部
１０５１  表示部
１０５２  入力部
２００，３００  プレビュー画面
２０１  並べ替えボタン
２０２  削除ボタン
２０３，２０４  回転ボタン
２０５  出力開始ボタン
２１０〜２１７，４１０〜４１３  プレビュー画像
２２０，２２１  用紙毎の選択ボタン
２３０〜２３７  ページ毎の選択ボタン
２４０，２４１  スクロールボタン
【図１】
2015043481.tif 000003
【図２】
2015043481.tif 000004
【図３】
2015043481.tif 000005
【図４】
2015043481.tif 000006
【図５】
2015043481.tif 000007
【図６】
2015043481.tif 000008
【図７】
2015043481.tif 000009
【図８】
2015043481.tif 000010
【図９】
2015043481.tif 000011
【図１０】
2015043481.tif 000012